(57)【特許請求の範囲】
【請求項１】
第１のワイヤレスデバイスを動作させる方法において、
ページングメッセージを聞くために割り振るページングリソースを決定することと、
ピア発見信号中で、前記割り振ったページングリソースを示す情報を送信することとを含み、
前記割り振ったページングリソースは、複数のページングリソースのサブセットである方法。
【請求項２】
前記複数のページングリソースは、周期的なページングチャネルのセットの各ページングチャネルを含み、前記割り振ったページングリソースは、前記ページングチャネルのサブセット中に存在する請求項１記載の方法。
【請求項３】
前記割り振ったページングリソースの、特定のページングチャネルに対するオフセットと周期とを決定することをさらに含み、前記送信した情報は前記オフセットと前記周期とを含む請求項２記載の方法。
【請求項４】
前記割り振ったページングリソース中で、前記送信したピア発見信号に応答した、第２のワイヤレスデバイスからのページを受信することをさらに含む請求項１記載の方法。
【請求項５】
第２のワイヤレスデバイスからピア発見信号を受信することをさらに含み、前記ピア発見信号は、前記複数のページングリソースのうちの、ページングメッセージを聞くために前記第２のワイヤレスデバイスに割り振られているページングリソースを示す情報を含む請求項１記載の方法。
【請求項６】
前記第２のワイヤレスデバイスに割り振られているページングリソースに対応するリソース上で、前記第２のワイヤレスデバイスにページングすることをさらに含む請求項５記載の方法。
【請求項７】
前記割り振るページングリソースを決定することは、前記第２のワイヤレスデバイスに割り振られているページングリソースに基づいている請求項５記載の方法。
【請求項８】
前記割り振るページングリソースを決定することは、前記第１のワイヤレスデバイスの通信のトラフィックタイプ、前記第１のワイヤレスデバイスの残っているバッテリー電力、前記第１のワイヤレスデバイスが無制限の電源に接続されているか否か、または、前記第１のワイヤレスデバイスの環境に関連する前記第１のワイヤレスデバイスの状態、のうちの少なくとも１つに基づいている請求項１記載の方法。
【請求項９】
前記第１のワイヤレスデバイスの環境に関連する前記第１のワイヤレスデバイスの状態は、前記第１のワイヤレスデバイスの、速度、温度、位置、加速度、向き、湿度、高度、電磁界、光度、オーディオ波、気圧、圧力、または、地震活動度、のうちの１つを含む請求項８記載の方法。
【請求項１０】
複数のワイヤレスデバイスから複数のピア発見信号を受信することと、
前記ピア発見信号中で、前記複数のワイヤレスデバイスに割り振られているページングリソースを示す情報を取得することと、
各ページングリソース上の負荷を決定することと、
前記決定した負荷に基づいて、前記ページングリソースを割り振ることとをさらに含む請求項１記載の方法。
【請求項１１】
ワイヤレス通信のための装置において、
ページングメッセージを聞くために割り振るページングリソースを決定する手段と、
ピア発見信号中で、前記割り振ったページングリソースを示す情報を送信する手段とを具備し、
前記割り振ったページングリソースは、複数のページングリソースのサブセットである装置。
【請求項１２】
前記複数のページングリソースは、周期的なページングチャネルのセットの各ページングチャネルを含み、前記割り振ったページングリソースは、前記ページングチャネルのサブセット中に存在する請求項１１記載の装置。
【請求項１３】
前記割り振ったページングリソースの、特定のページングチャネルに対するオフセットと周期とを決定する手段をさらに具備し、前記送信した情報は前記オフセットと前記周期とを含む請求項１２記載の装置。
【請求項１４】
前記割り振ったページングリソース中で、前記送信したピア発見信号に応答した、第２の装置からのページを受信する手段をさらに具備する請求項１１記載の装置。
【請求項１５】
第２の装置からピア発見信号を受信する手段をさらに具備し、前記ピア発見信号は、前記複数のページングリソースのうちの、ページングメッセージを聞くために前記第２の装置に割り振られているページングリソースを示す情報を含む請求項１１記載の装置。
【請求項１６】
前記第２の装置に割り振られているページングリソースに対応するリソース上で、前記第２の装置にページングする手段をさらに具備する請求項１５記載の装置。
【請求項１７】
前記割り振るページングリソースを決定する手段は、前記第２の装置に割り振られているページングリソースに基づいて、前記割り振るページングリソースを決定する請求項１５記載の装置。
【請求項１８】
前記割り振るページングリソースを決定する手段は、前記装置の通信のトラフィックタイプ、前記装置の残っているバッテリー電力、前記装置が無制限の電源に接続されているか否か、または、前記装置の環境に関連する前記装置の状態、のうちの少なくとも１つに基づいて、前記割り振るページングリソースを決定する請求項１１記載の装置。
【請求項１９】
前記装置の環境に関連する前記装置の状態は、前記装置の、速度、温度、位置、加速度、向き、湿度、高度、電磁界、光度、オーディオ波、気圧、圧力、または、地震活動度、のうちの１つを含む請求項１８記載の装置。
【請求項２０】
複数のワイヤレスデバイスから複数のピア発見信号を受信する手段と、
前記ピア発見信号中で、前記複数のワイヤレスデバイスに割り振られているページングリソースを示す情報を取得する手段と、
各ページングリソース上の負荷を決定する手段と、
前記決定した負荷に基づいて、前記ページングリソースを割り振る手段とをさらに具備する請求項１１記載の装置。
【請求項２１】
処理システムを具備するワイヤレス通信のための装置において、
前記処理システムは、
ページングメッセージを聞くために割り振るページングリソースを決定し、
ピア発見信号中で、前記割り振ったページングリソースを示す情報を送信するように構成され、
前記割り振ったページングリソースは、複数のページングリソースのサブセットである装置。
【請求項２２】
前記複数のページングリソースは、周期的なページングチャネルのセットの各ページングチャネルを含み、前記割り振ったページングリソースは、前記ページングチャネルのサブセット中に存在する請求項２１記載の装置。
【請求項２３】
前記処理システムは、前記割り振ったページングリソースの、特定のページングチャネルに対するオフセットと周期とを決定するようにさらに構成され、前記送信した情報は前記オフセットと前記周期とを含む請求項２２記載の装置。
【請求項２４】
前記処理システムは、前記割り振ったページングリソース中で、前記送信したピア発見信号に応答した、第２の装置からのページを受信するようにさらに構成されている請求項２１記載の装置。
【請求項２５】
前記処理システムは、第２の装置からピア発見信号を受信するようにさらに構成され、前記ピア発見信号は、前記複数のページングリソースのうちの、ページングメッセージを聞くために前記第２の装置に割り振られているページングリソースを示す情報を含む請求項２１記載の装置。
【請求項２６】
前記処理システムは、前記第２の装置に割り振られているページングリソースに対応するリソース上で、前記第２の装置にページングするようにさらに構成されている請求項２５記載の装置。
【請求項２７】
前記処理システムは、前記第２の装置に割り振られているページングリソースに基づいて、前記割り振るページングリソースを決定するように構成されている請求項２５記載の装置。
【請求項２８】
前記処理システムは、前記装置の通信のトラフィックタイプ、前記装置の残っているバッテリー電力、前記装置が無制限の電源に接続されているか否か、または、前記装置の環境に関連する前記装置の状態、のうちの少なくとも１つに基づいて、前記割り振るページングリソースを決定するように構成されている請求項２１記載の装置。
【請求項２９】
前記装置の環境に関連する前記装置の状態は、前記装置の、速度、温度、位置、加速度、向き、湿度、高度、電磁界、光度、オーディオ波、気圧、圧力、または、地震活動度、のうちの１つを含む請求項２８記載の装置。
【請求項３０】
前記処理システムは、複数のワイヤレスデバイスから複数のピア発見信号を受信し、
前記ピア発見信号中で、前記複数のワイヤレスデバイスに割り振られているページングリソースを示す情報を取得し、
各ページングリソース上の負荷を決定し、
前記決定した負荷に基づいて、前記ページングリソースを割り振るようにさらに構成されている請求項２１記載の装置。
【請求項３１】
第１のワイヤレスデバイス中のコンピュータ読取可能記憶媒体において、
前記コンピュータ読取可能記憶媒体は、
ページングメッセージを聞くために割り振るページングリソースを決定するためのコードと、
ピア発見信号中で、前記割り振ったページングリソースを示す情報を送信するためのコードとを備え、
前記割り振ったページングリソースは、複数のページングリソースのサブセットであるコンピュータ読取可能記憶媒体。
【請求項３２】
前記複数のページングリソースは、周期的なページングチャネルのセットの各ページングチャネルを含み、前記割り振ったページングリソースは、前記ページングチャネルのサブセット中に存在する請求項３１記載のコンピュータ読取可能記憶媒体。
【請求項３３】
前記コンピュータ読取可能記憶媒体は、前記割り振ったページングリソースの、特定のページングチャネルに対するオフセットと周期とを決定するためのコードをさらに備え、前記送信した情報は前記オフセットと前記周期とを含む請求項３２記載のコンピュータ読取可能記憶媒体。
【請求項３４】
前記コンピュータ読取可能記憶媒体は、前記割り振ったページングリソース中で、前記送信したピア発見信号に応答した、第２のワイヤレスデバイスからのページを受信するためのコードをさらに備える請求項３１記載のコンピュータ読取可能記憶媒体。
【請求項３５】
前記コンピュータ読取可能記憶媒体は、第２のワイヤレスデバイスからピア発見信号を受信するためのコードをさらに備え、前記ピア発見信号は、前記複数のページングリソースのうちの、ページングメッセージを聞くために前記第２のワイヤレスデバイスに割り振られているページングリソースを示す情報を含む請求項３１記載のコンピュータ読取可能記憶媒体。
【請求項３６】
前記コンピュータ読取可能記憶媒体は、前記第２のワイヤレスデバイスに割り振られているページングリソースに対応するリソース上で、前記第２のワイヤレスデバイスにページングするためのコードをさらに備える請求項３５記載のコンピュータ読取可能記憶媒体。
【請求項３７】
前記割り振るページングリソースを決定するためのコードは、前記第２のワイヤレスデバイスに割り振られているページングリソースに基づいて、前記割り振るページングリソースを決定する請求項３５記載のコンピュータ読取可能記憶媒体。
【請求項３８】
前記割り振るページングリソースを決定するためのコードは、前記第１のワイヤレスデバイスの通信のトラフィックタイプ、前記第１のワイヤレスデバイスの残っているバッテリー電力、前記第１のワイヤレスデバイスが無制限の電源に接続されているか否か、または、前記第１のワイヤレスデバイスの環境に関連する前記第１のワイヤレスデバイスの状態、のうちの少なくとも１つに基づいて、前記割り振るページングリソースを決定する請求項３１記載のコンピュータ読取可能記憶媒体。
【請求項３９】
前記第１のワイヤレスデバイスの環境に関連する前記第１のワイヤレスデバイスの状態は、前記第１のワイヤレスデバイスの、速度、温度、位置、加速度、向き、湿度、高度、電磁界、光度、オーディオ波、気圧、圧力、または、地震活動度、のうちの１つを含む請求項３８記載のコンピュータ読取可能記憶媒体。
【請求項４０】
前記コンピュータ読取可能記憶媒体は、
複数のワイヤレスデバイスから複数のピア発見信号を受信するためのコードと、
前記ピア発見信号中で、前記複数のワイヤレスデバイスに割り振られているページングリソースを示す情報を取得するためのコードと、
各ページングリソース上の負荷を決定するためのコードと、
前記決定した負荷に基づいて、前記ページングリソースを割り振るためのコードとをさらに備える請求項３１記載のコンピュータ読取可能記憶媒体。
【発明の詳細な説明】
【分野】
【０００１】
本開示は一般的に通信システムに関連し、より特定すると、ピアツーピアネットワークにおける適応ページングに関連する。
【背景】
【０００２】
アドホックピアツーピアワイヤレスネットワークにおいて、別のワイヤレスデバイスにページを送ることにより、ワイヤレスデバイスはそのワイヤレスデバイスとの通信を開始することができる。ページは、ワイヤレスデバイスが互いにページングできるようにするために特に割り振られている、ページングチャネル上で送信されてもよい。ページングチャネルは例えば、１秒ごとのように、周期的に発生させてもよい。機械同士の通信を必要とするいくつかのアプリケーションは、１秒よりも短い時間スケールの間に接続セットアップおよび切断を必要とするかもしれないため、より頻繁なページングチャネルへのアクセスを必要とするかもしれない。ページングチャネルの頻度を増加させることは、ページングに必要なオーバーヘッドと、ページングチャネル上で聞くために必要な電力消費とを増加させる。このようなことから、セットアップの待ち時間を減少させつつ電力効率の良い、適応ページング方法に対する必要性がある。
【概要】
【０００３】
本開示の態様において、複数のページングリソースのうちの、ページングメッセージを聞くために割り振るページングリソースを決定する、方法、コンピュータプログラムプロダクト、および装置を提供する。さらに、ピア発見信号中で、割り振ったページングリソースを示す情報を送信する。
【図面の簡単な説明】
【０００４】
【図１】図１は、処理システムを用いる装置のためのハードウェアのインプリメンテーションの例を図示するダイアグラムである。
【図２】図２は、ワイヤレスピアツーピア通信システムの図である。
【図３】図３は、ワイヤレスデバイス間でのピアツーピア通信のための例示的な時間構造を図示するダイアグラムである。
【図４】図４は、１個のグランドフレームにおけるスーパーフレームの各フレーム中のチャネルを図示するダイアグラムである。
【図５】図５は、多種多様なチャネルの動作タイムラインとピア発見チャネルの構造とを図示するダイアグラムである。
【図６】図６は、多種多様なチャネルとピアページングチャネルとの動作タイムラインを図示するダイアグラムである。
【図７】図７は、例示的な方法を図示する第１のダイアグラムである。
【図８】図８は、例示的な方法を図示する第２のダイアグラムである。
【図９】図９は、ワイヤレス通信の方法のフローチャートである。
【図１０】図１０は、ワイヤレス通信の方法の別のフローチャートである。
【図１１】図１１は、例示的な装置の機能を図示する概念的なブロックダイアグラムである。
【詳細な説明】
【０００５】
添付した図面に関連して以下で説明する詳細な説明は、さまざまなコンフィギュレーションの説明として意図されており、ここで説明する概念が実施されてもよい唯一のコンフィギュレーションを表すということは、意図されていない。詳細な説明は、さまざまな概念の完全な理解を提供する目的で、特定の詳細を含む。しかしながら、これらの概念がこれらの特定の詳細なしに実施されてもよいことは、当業者にとって明らかだろう。いくつかの例において、そのような概念を曖昧にすることを避けるために、よく知られた構造およびコンポーネントを、ブロックダイアグラムの形態で示す。
【０００６】
通信システムのいくつかの態様を、さまざまな装置および方法を参照して、ここで提示する。これらの装置および方法は、以下の詳細な説明において説明され、付随する図面において、さまざまなブロック、モジュール、コンポーネント、回路、ステップ、プロセス、アルゴリズム等（集合的に「エレメント」と呼ばれる）により図示されている。電子ハードウェア、コンピュータソフトウェア、またはこれらの任意の組み合わせを使用して、これらのエレメントを実現してもよい。そのようなエレメントがハードウェアとして実現されるかソフトウェアとして実現されるかは、特定のアプリケーションとシステム全体に課された設計の制約とに依存する。
【０００７】
例として、エレメント、またはエレメントの任意の一部、またはエレメントの任意の組み合わせを、１つ以上のプロセッサを備える「処理システム」により実現してもよい。プロセッサの例は、マイクロプロセッサ、マイクロ制御装置、デジタル信号プロセッサ（ＤＳＰ）、フィールドプログラム可能ゲートアレイ（ＦＰＧＡ）、プログラム可能論理デバイス（ＰＬＤ）、状態機械、ゲート論理、ディスクリートハードウェア回路、ならびに本開示全体を通して説明するさまざまな機能を実行するように構成されている、他の適切なハードウェアを含む。処理システム中の１つ以上のプロセッサが、ソフトウェアを実行してもよい。ソフトウェア、ファームウェア、ミドルウェア、マイクロコード、ハードウェア記述言語、またはその他の名称で呼ばれるとしても、ソフトウェアは、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、関数、等を意味するように広く解釈すべきである。ソフトウェアは、コンピュータ読取可能媒体上に常駐していてもよい。コンピュータ読取可能媒体は、一時的でないコンピュータ読取可能媒体であってもよい。一時的でないコンピュータ読取可能媒体は、例として、磁気記憶デバイス（例えば、ハードディスク、フロッピー（登録商標）ディスク、磁気ストリップ）、光学ディスク（例えば、コンパクトディスク（ＣＤ）、デジタル多目的ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラム可能なＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、取り外し可能ディスク、ならびに、コンピュータによってアクセスかつ読み取ることができる、ソフトウェアおよび／または命令を記憶するのに適切な他の任意の媒体を含む。コンピュータ読取可能媒体は、処理システム中に常駐するか、処理システムの外部に存在するか、または、処理システムを含む複数のエンティティにわたって分散されていてもよい。コンピュータ読取可能媒体は、コンピュータプログラムプロダクト中で具現化してもよい。例として、コンピュータプログラムプロダクトは、パッケージングマテリアル中のコンピュータ読取可能媒体を含んでいてもよい。
【０００８】
したがって、１つ以上の例示的な実施形態において、説明した機能は、ハードウェア、ソフトウェア、ファームウェア、またはこれらの任意の組み合わせ中で実現してもよい。ソフトウェア中で実現される場合、機能は、コンピュータ読取可能媒体上の１つ以上の命令またはコード上に記憶されてもよく、あるいは、コンピュータ読取可能媒体上の１つ以上の命令またはコードとしてエンコードされてもよい。コンピュータ読取可能媒体は、コンピュータ記憶媒体を含む。記憶媒体は、コンピュータによってアクセスできる任意の利用可能な媒体であってもよい。限定ではないが、例として、そのようなコンピュータ読取可能媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、所望のプログラムコードを命令またはデータ構造の形態で運ぶまたは記憶するのに使用でき、かつ、コンピュータによりアクセスできる、他の任意の媒体を含むことができる。ここで使用されるような、ディスク（ｄｉｓｋおよびｄｉｓｃ）は、コンパクトディスク（ＣＤ）、レーザディスク、光学ディスク、デジタル多目的ディスク（ＤＶＤ）、フロッピーディスク、およびブルーレイ（登録商標）ディスクを含む。ここで、ディスク（ｄｉｓｋ）は通常、磁気的にデータを再生する一方で、ディスク（ｄｉｓｃ）はレーザにより光学的にデータを再生する。上記の組み合わせもまた、コンピュータ読取可能媒体の範囲内に含めるべきである。当業者は、特定のアプリケーションとシステム全体に課された全体的な設計の制約とに依存して、本開示全体を通して提示され、説明される機能をどのように実現することが最善かを認識するだろう。
【０００９】
図１は、処理システム１１４を用いる装置１００のためのハードウェアのインプリメンテーションの例を図示する概念的なダイアグラムである。処理システム１１４は、バス１０２により一般的に表される、バスアーキテクチャにより実現してもよい。バス１０２は、処理システム１１４の特定のアプリケーションと全体的な設計の制約とに依存して、任意の数の相互接続のバスおよびブリッジを含んでいてもよい。バス１０２は、プロセッサ１０４によって一般的に表される、１つ以上のプロセッサおよび／またはハードウェアモジュール、ならびに、コンピュータ読取可能媒体１０６によって一般的に表される、コンピュータ読取可能媒体を含む、さまざまな回路を互いにリンクさせる。バス１０２はまた、タイミングソース、周辺機器、電圧レギュレータ、電力管理回路のような、他のさまざまな回路をリンクさせてもよいが、これらは技術的によく知られているので、これ以上説明しない。バスインターフェース１０８は、バス１０２とトランシーバ１１０との間のインターフェースを提供する。トランシーバ１１０は、送信媒体を通して他のさまざまな装置と通信する手段を提供する。
【００１０】
プロセッサ１０４は、バス１０２を管理することと、コンピュータ読取可能媒体１０６上に記憶されているソフトウェアの実行を含む一般的な処理とを担う。プロセッサ１０４によって実行されるとき、このソフトウェアは処理システム１１４に、任意の特定の装置に対する、後に説明するさまざまな機能を実行させる。コンピュータ読取可能媒体１０６はまた、ソフトウェアを実行するときにプロセッサ１０４によって操作されるデータを記憶するために使用してもよい。
【００１１】
図２は、例示的なピアツーピア通信システム２００の図である。ピアツーピア通信システム２００は、複数のワイヤレスデバイス２０６、２０８、２１０、２１２を含む。ピアツーピア通信システム２００は、例えば、ワイヤレス広域ネットワーク（ＷＷＡＮ）のような、セルラ通信システムとオーバーラップしていてもよい。ワイヤレスデバイス２０６、２０８、２１０、２１２のうちのいくつかは、ピアツーピア通信中で互いに通信してもよく、いくつかは基地局２０４と通信してもよく、いくつかは両方を行ってもよい。例えば、図２中で図示するように、ワイヤレスデバイス２０６、２０８はピアツーピア通信中であり、ワイヤレスデバイス２１０、２１２はピアツーピア通信中である。ワイヤレスデバイス２１２はまた、基地局２０４とも通信している。
【００１２】
ワイヤレスデバイスは、当業者により、ユーザ機器、移動局、加入者局、移動体ユニット、加入者ユニット、ワイヤレスユニット、ワイヤレスノード、遠隔ユニット、移動体デバイス、ワイヤレス通信デバイス、遠隔デバイス、移動体加入者局、アクセス端末、移動端末、ワイヤレス端末、遠隔端末、ハンドセット、ユーザエージェント、移動体クライアント、クライアント、または他のいくつかの適切な専門用語として、代替的に呼ばれるかもしれない。基地局は、当業者により、アクセスポイント、基地トランシーバ局、無線基地局、無線トランシーバ、トランシーバ機能、基本サービスセット（ＢＳＳ）、拡張サービスセット（ＥＳＳ）、ノードＢ、進化型ノードＢ、または他のいくつかの適切な専門用語として、代替的に呼ばれるかもしれない。
【００１３】
後に議論する、例示的な方法および装置は、例えば、ＦｌａｓｈＬｉｎＱ（登録商標）、ＷｉＭｅｄｉａ（登録商標）、Ｂｌｕｅｔｏｏｔｈ（登録商標）、ＺｉｇＢｅｅ（登録商標）、または、ＩＥＥＥ８０２．１１標準規格に基づいているＷｉ−Ｆｉ（登録商標）、に基づくワイヤレスピアツーピア通信システムのような、任意のさまざまなワイヤレスピアツーピアピア通信システムに対して適用可能である。議論を簡略化するために、例示的な方法および装置は、ＦｌａｓｈＬｉｎＱの状況内で議論する。しかしながら、当業者は、例示的な方法および装置が、より一般的に他のさまざまなワイヤレスピアツーピア通信システムに対して適用可能であることを理解するだろう。
【００１４】
図３は、ワイヤレスデバイス１００間でのピアツーピア通信のための例示的な時間構造を図示するダイアグラム３００である。ウルトラフレームは５１２秒であり、６４個のメガフレームを含む。各メガフレームは８秒であり、８個のグランドフレームを含む。各グランドフレームは１秒であり、１５個のスーパーフレームを含む。各スーパーフレームは約６６．６７ミリ秒であり、３２個のフレームを含む。各フレームは２．０８３３ミリ秒である。
【００１５】
図４は、１個のグランドフレーム中のスーパーフレームの各フレームにおけるチャネルを図示するダイアグラム３１０である。（インデックス０を有する）第１のスーパーフレーム中で、フレーム０は予約されたチャネル（ＲＣＨ）であり、フレーム１〜１０はそれぞれ多種多様なチャネル（ＭＣＣＨ）であり、フレーム１１〜３１はそれぞれトラフィックチャネル（ＴＣＣＨ）である。（インデックス１：６を有する）第２から第７のスーパーフレーム中で、フレーム０はＲＣＨであり、フレーム１〜３１はそれぞれＴＣＣＨである。（インデックス７を有する）第８のスーパーフレーム中で、フレーム０はＲＣＨであり、フレーム１〜１０はそれぞれＭＣＣＨであり、フレーム１１〜３１はそれぞれＴＣＣＨである。（インデックス８：１４を有する）第９から第１５のスーパーフレーム中で、フレーム０はＲＣＨであり、フレーム１〜３１はそれぞれＴＣＣＨである。スーパーフレームインデックス０のＭＣＣＨは、二次タイミング同期チャネル、ピア発見チャネル、ピアページチャネルおよび予約されたスロットを含む。スーパーフレームインデックス７のＭＣＣＨは、ピアページチャネルおよび予約されたスロットを含む。ＴＣＣＨは、接続スケジューリング、パイロット、チャネル品質インジケータ（ＣＱＩ）フィードバック、データセグメントおよび肯定応答（ＡＣＫ）を含む。
【００１６】
図５は、ＭＣＣＨの動作タイムラインとピア発見チャネルの例示的な構造とを図示するダイアグラム３２０である。図４に関連して議論したように、スーパーフレームインデックス０のＭＣＣＨは、二次タイミング同期チャネル、ピア発見チャネル、ピアページングチャネル、および予約されたスロットを含む。ピア発見チャネルはサブチャネルに分割してもよい。例えば、ピア発見チャネルは、長距離ピア発見チャネル、中距離ピア発見チャネル、短距離ピア発見チャネル、および他のチャネルに分割してもよい。サブチャネルのそれぞれは、ピア発見情報を通信するための複数のブロック／リソースを含んでいてもよい。各ブロックは、同じ副搬送波において複数の（例えば、７２個の）直交周波数分割多重（ＯＦＤＭ）シンボルを含んでいてもよい。図５は、１個のメガフレームにおける、ブロックを含むサブチャネル（例えば、短距離ピア発見チャネル）の例を提供する。１個のメガフレームは、グランドフレーム０から７の、スーパーフレームインデックス０のＭＣＣＨを含む。ブロックの異なるセットは、異なるピア発見リソース識別子（ＰＤＲＩＤ）に対応する。例えば、１個のＰＤＲＩＤは、メガフレーム中の１個のグランドフレームの、スーパーフレームインデックス０のＭＣＣＨにおける、ブロックのうちの１個に対応しているかもしれない。
【００１７】
電源投入の際に、ワイヤレスデバイスは、ある時間期間（例えば、２個のメガフレーム）に対してピア発見チャネルを聞き、ＰＤＲＩＤのそれぞれにおける決定されたエネルギーに基づいて、ＰＤＲＩＤを選択する。例えば、ワイヤレスデバイスは、ウルトラフレームのうちの第１のメガフレーム中のブロック３２２（ｉ＝２、ｊ＝１５）に対応するＰＤＲＩＤを選択するかもしれない。特定のＰＤＲＩＤは、ホッピングが原因で、そのウルトラフレームのうちの他のメガフレーム中の他のブロックにマッピングされるかもしれない。選択したＰＤＲＩＤに関係付けられているブロック中で、ワイヤレスデバイスは自らのピア発見信号を送信する。選択したＰＤＲＩＤに関係付けられていないブロック中では、ワイヤレスデバイスは他のワイヤレスデバイスにより送信されたピア発見信号を聞く。
【００１８】
ワイヤレスデバイスがＰＤＲＩＤの衝突を検出する場合、ワイヤレスデバイスはまた、ＰＤＲＩＤを再選択してもよい。すなわち、そのＰＤＲＩＤに対応するピア発見リソース上のエネルギーを検出するために、ワイヤレスデバイスは、その利用可能なピア発見リソース上で、送信するというよりもむしろ聞いてもよい。ワイヤレスデバイスはまた、他のＰＤＲＩＤに対応する他のピア発見リソース上のエネルギーを検出してもよい。ワイヤレスデバイスは、そのＰＤＲＩＤに対応するピア発見リソースにおける決定したエネルギーと、他のＰＤＲＩＤに対応する他のピア発見リソースにおける検出したエネルギーとに基づいて、ＰＤＲＩＤを再選択してもよい。
【００１９】
図６は、ＭＣＣＨとピアページングチャネルとの動作タイムラインを図示するダイアグラム３３０である。図４に関連して議論したように、スーパーフレームインデックス０のＭＣＣＨは、二次タイミング同期チャネル、ピア発見チャネル、ピアページングチャネル、および予約されたスロットを含む。スーパーフレームインデックス０のＭＣＣＨ中のピアページングチャネルは、クイックページングチャネル、ＣＩＤブロードキャストチャネル、およびページ要求チャネル３３２を含む。スーパーフレームインデックス７のＭＣＣＨは、ピアページングチャネルおよび予約されたスロットを含む。スーパーフレームインデックス７のＭＣＣＨ中のピアページングチャネルは、ページ応答チャネルおよびページ確認チャネルを含む。
【００２０】
図７は、例示的な方法を図示する第１のダイアグラムである。リソース４００のセット中で示すように、ページングチャネル４０２は、期間Ｔ１を有する他のチャネル４０４のうちに割り振られていてもよい。ＦｌａｓｈＬｉｎＱにおいて、グランドフレーム毎に１回ずつ生じる各ページ要求チャネル３３２中でページングが生じるため、Ｔ１は１秒と等しい。ページングチャネルの数を増加させ、それらを時間にわたって拡散させることにより、接続セットアップの待ち時間は減少するかもしれない。例えば、リソース４５０のセット中で示すように、ページングチャネル４５２、４５４、４５６、４５８は、Ｔ１よりも短い期間Ｔ２（例えば、Ｔ２は０．５秒と等しくてもよい）を有する他のチャネル４６０のうちに割り振られていてもよい。リソース４５０のセットは、結果として、ページングチャネル４５２〜４５８中でページングするために必要なオーバーヘッドの増加、および、ページングチャネル４５２〜４５８を聞くために必要な電力消費の増加を招く。電力消費の増加は、ページングチャネルの数の増加に等しい。各ページングチャネルのために使用されるリソースの量を減少させることによって、オーバーヘッドに関連する問題を取り扱ってもよい。そのようなことであるから、ページングチャネル４５２〜４５８に割り当てられているリソースの数（例えば、リソースエレメントの数）は、ページングチャネル４０２に割り当てられているリソースの数よりも少ない。各ページングチャネルのためのリソースの数を減少させることで、オーバーヘッドの増加を打ち消すことができる一方で、リソースの数の減少は、誤認アラームと誤検出とを増加させることにより、ページングチャネルの性能を低下させることがある。第１のワイヤレスデバイスが第２のワイヤレスデバイスにページを送信するが、第２のワイヤレスデバイスはそのページを検出しないときに、誤検出は生じる。第１のワイヤレスデバイスが第２のワイヤレスデバイスにページを送信しないが、第２のワイヤレスデバイスはページを検出するときに、誤認アラームは生じる。ページングのためのリソースが少なくなると、誤認アラームのレートと誤検出のレートの両方が増加する。
【００２１】
例示的な方法にしたがうと、ページングチャネルのそれぞれの中のリソースがより少なく、ページングチャネルの頻度がより高いことが原因の、電力消費、誤認アラーム、および誤検出の増加は、適応ページング方法を通して対処できるかもしれない。例示的な適応ページング方法にしたがうと、ワイヤレスデバイスは、複数のページングリソースのうちの、ページングメッセージを聞くために割り振るページングリソースを決定し、ピア発見信号中で、割り振ったページングリソースを示す情報を送信する。決定したページングリソースは、ワイヤレスデバイスが聞くことのできるページングリソースの、サブセットであってもよい。利用可能なページングリソースのサブセット上のみで聞くことにより、電力消費は減少する。そして、ページングリソースの密集はより少なく、ワイヤレスデバイスはページングリソースのうちのより多くをページングのために使用できるので、誤認アラームのレートと誤検出のレートは減少する。
【００２２】
図８は、例示的な方法を図示する第２のダイアグラム５００である。図８中で示すように、ワイヤレスデバイス５０２、５０４、５０６、５０８はそれぞれ、複数のページングリソースのうちの、ページングメッセージを聞くために割り振るページングリソースを決定し、ピア発見信号５０２’、５０４’、５０６’、５０８’中でそれぞれ、割り振ったページングリソースを示す情報を送信する。複数のページングリソースは、周期的なページングチャネルのセットの各ページングチャネルを含み、割り振られているページングリソースは、ページングチャネルのサブセット中に存在する。例えば、複数のページングリソースは、ページングチャネル４５２、４５４、４５６、４５８のセット中のページングチャネルのそれぞれを含んでいてもよく、ワイヤレスデバイス５０２に対して、割り振られているページングリソースはページングチャネル４５２、４５６内にあってもよい。このように、ワイヤレスデバイス５０２は、ページングチャネル４５２、４５６内のリソース上でページを聞き、ページングチャネル４５４、４５８中ではページを聞かず、これにより、利用可能なページングチャネルの半分中でのみ聞く。
【００２３】
いったんワイヤレスデバイス５０２が割り振るページングリソースを決定すると、ワイヤレスデバイス５０２は、ワイヤレスデバイス５０２がページングメッセージを聞くために割り振ったのはどのページングリソースか、を定義する、割り振ったページングリソースのオフセットと周期とを決定し、そのオフセットと周期とを示す情報を送信する。例えば、割り振られているページングチャネル４５２、４５６により、周期は２Ｔ２となり、そしてページングチャネル４５２が基準点であると仮定すると、オフセットは０となる。ピア発見信号５０２’中で送信されるオフセットと周期とに基づいて、ワイヤレスデバイス５０４は、ページ５１０をワイヤレスデバイス５０２に送信してもよい。ワイヤレスデバイス５０４は、受信したピア発見信号５０２’を通して直接、ワイヤレスデバイス５０２のページングリソースを決定してもよく、または代替的に、ワイヤレスデバイス５０２が聞くページングリソースを示す情報を、基地局から受信してもよい。後者のコンフィギュレーションにおいて、ワイヤレスデバイス５０２が聞くページングリソースは、ピア発見信号５０２’を受信する基地局により決定される。
【００２４】
さらに、ワイヤレスデバイス５０２は、ページングメッセージを聞くためにワイヤレスデバイス５０６に割り振られているページングリソースを示す情報を含む、ピア発見信号５０６’を、ワイヤレスデバイス５０６から受信してもよい。例えば、ワイヤレスデバイス５０６には、ページングチャネル４５４、４５８内のページングリソースが割り振られているかもしれず、そのため、そのピア発見信号５０６’中で、１のオフセットと２Ｔ２の周期とを示す情報を送信するかもしれない。受信した情報に基づいて、ワイヤレスデバイス５０２は、ワイヤレスデバイス５０６に割り振られているページングリソースに対応するリソース上で、ワイヤレスデバイス５０６にページング５１２するかもしれない。
【００２５】
ワイヤレスデバイス５０２は、ワイヤレスデバイス５０４〜５０８に割り振られているページングリソースに基づいて、自らに割り振るページングリソースを決定してもよい。例えば、ワイヤレスデバイス５０２は、ピア発見信号５０４’、５０６’、５０８’を受信して、信号のそれぞれにおいて、ワイヤレスデバイス５０４、５０６、５０８に割り振られているページングリソースを示す情報を取得するかもしれない。取得した情報に基づいて、ワイヤレスデバイス５０２はページングチャネルのそれぞれにおける負荷を決定してもよい。決定した負荷に基づいて、ワイヤレスデバイス５０２は自らのページングリソースを割り振ってもよい。例えば、ワイヤレスデバイス５０４にはページングチャネル４５２、４５４、４５６、４５８内のページングリソースが割り振られていて、ワイヤレスデバイス５０６にはページングチャネル４５４、４５８内のページングリソースが割り振られていて、そしてワイヤレスデバイスにはページングチャネル４５４、４５８内のページングリソースが割り振られている場合、ワイヤレスデバイス５０２は、ワイヤレスデバイス５０２にとって２Ｔ２の周期が十分であると仮定して、ページングチャネル４５２、４５６内のページングリソースを選択するかもしれない。他のワイヤレスデバイスに割り振られているページングリソースに基づいて、割り振るページングリソースを選択することにより、ページングリソース上の負荷はよりよくバランスされるかもしれず、それにより、ページング誤認アラームと誤検出とが減少するかもしれない。
【００２６】
代替的にまたはさらに、ワイヤレスデバイス５０２は、通信のトラフィックタイプ、残っているバッテリー電力、デバイスが無制限の電源に接続されているか否か、および／または、デバイスの環境に関連するデバイスの状態に基づいて、割り振るページングリソースを決定してもよい。機械同士の通信のトラフィックタイプは、より頻度の高いページングチャネルを必要とするかもしれないが、一方で、ファイル転送のトラフィックタイプは、より頻度の低いページングチャネルしか必要としないかもしれない。ワイヤレスデバイス５０２の残っているバッテリー電力が多いとき、および／または、ワイヤレスデバイス５０２が無制限の電源に接続されているとき、ワイヤレスデバイス５０２に割り振られるページングリソースは増加するかもしれず、ワイヤレスデバイス５０２の残っているバッテリー電力が少ないとき、および／または、ワイヤレスデバイスが無制限の電源に接続されていないとき、ワイヤレスデバイス５０２に割り振られるページングリソースは減少するかもしれない。ワイヤレスデバイス５０２の環境に関連するワイヤレスデバイス５０２の状態は、ワイヤレスデバイス５０２の、速度、温度、位置、加速度、向き、湿度、高度、電磁界、光度、オーディオ波、気圧、圧力、または、地震活動度、のうちの１つ以上を含む。例えば、速度がより速くなると、高速の乗り物同士での通信を可能にするために、より頻度の高いページングチャネルが必要とされるかもしれない。
【００２７】
図９は、ワイヤレス通信の方法のフローチャート９００である。この方法は、ワイヤレスデバイス５０２のようなワイヤレスデバイスにより、実行してもよい。図９中で示すように、ワイヤレスデバイス５０２は、複数のページングリソースのうちの、ページングメッセージを聞くために割り振るページングリソースを決定し（９０２）、ピア発見信号中で、割り振ったページングリソースを示す情報を送信する（９０６）。１つのコンフィギュレーションにおいて、複数のページングリソースは周期的なページングチャネルのセットの各ページングチャネルを含み、割り振られているページングリソースはページングチャネルのサブセット中に存在する。１つのコンフィギュレーションにおいて、ワイヤレスデバイス５０２は、割り振ったページングリソースの、特定のページングチャネルに対するオフセットと周期とを決定する（９０４）。そのようなコンフィギュレーションにおいて、送信した情報（９０６）はオフセットと周期とを含む。周期とオフセットとの情報を送信するよりもむしろ、ワイヤレスデバイス５０２は、ページングメッセージを聞くためにワイヤレスデバイス５０２に割り振ったページングリソースを他のワイヤレスデバイスに伝える、他の情報を送信するかもしれない。ワイヤレスデバイスはまた、その割り振ったページングリソース中で、送信したピア発見信号に応答した、第２のワイヤレスデバイスからのページを受信するかもしれない（９０８）。ワイヤレスデバイス５０２はまた、第３のワイヤレスデバイスからピア発見信号を受信するかもしれず、ピア発見信号は、複数のページングリソースのうちの、ページングメッセージを聞くために第３のワイヤレスデバイスに割り振られているページングリソースを示す情報を含む（９１０）。第３のワイヤレスデバイスのページングリソースを示す、受信した情報に基づいて、ワイヤレスデバイス５０２は、第３のワイヤレスデバイスに割り振られているページングリソースに対応するリソース上で、第３のワイヤレスデバイスにページングしてもよい（９１２）。
【００２８】
上で議論した通り、ワイヤレスデバイス５０２の通信のトラフィックタイプ、ワイヤレスデバイス５０２の残っているバッテリー電力、ワイヤレスデバイス５０２が無制限の電源に接続されているか否か、または、ワイヤレスデバイス５０２の環境に関連するワイヤレスデバイス５０２の状態、のうちの少なくとも１つに基づいて、ワイヤレスデバイス５０２は割り振るページングリソースを決定してもよい（９０２）。ワイヤレスデバイス５０２の環境に関連するワイヤレスデバイス５０２の状態は、ワイヤレスデバイス５０２の、速度、温度、位置、加速度、向き、湿度、高度、電磁界、光度、オーディオ波、気圧、圧力、または、地震活動度、のうちの１つ以上を含む。
【００２９】
図１０は、ワイヤレス通信の方法の別のフローチャート１０００である。この方法は、ワイヤレスデバイス５０２のようなワイヤレスデバイスにより、実行してもよい。上で議論した通り、他のワイヤレスデバイスに割り振られているページングリソースに基づいて、ワイヤレスデバイス５０２は割り振るページングリソースを決定してもよい。図１０中で示すように、ワイヤレスデバイス５０２は、複数のワイヤレスデバイスから複数のピア発見信号を受信する（１００２）。ワイヤレスデバイス５０２は、ピア発見信号中で、複数のワイヤレスデバイスに割り振られているページングリソースを示す情報を取得する（１００４）。ワイヤレスデバイス５０２は、取得した情報に基づいて、各ページングリソース上の負荷を決定する（１００６）。ワイヤレスデバイス５０２は、その後、決定した負荷に基づいてページングリソースを割り振る（１００８）。決定した負荷に基づいてページングリソースを割り振ることにより、ワイヤレスデバイス５０２はページングリソース上の負荷をバランスさせ、それによりページング誤認アラームと誤検出とを減少させる。
【００３０】
図１１は、例示的な装置の機能を図示する概念的なブロックダイアグラム１１００である。装置１００は、前述のフローチャートにおけるステップのそれぞれを実行するさらなるモジュールを含んでいてもよい。そのようなことから、前述のフローチャートにおける各ステップは、モジュールによって実行してもよく、装置１００は、それらのモジュールのうちの１つ以上を含んでいてもよい。図１１中で示すように、装置１００は、割り振られているページングリソースの情報を含むピア発見信号１１０２を受信するように構成されている、受信モジュール１１０６を具備する。受信モジュール１１０６はまた、他のワイヤレスデバイスからページ１１０４を受信するように構成されている。割り振られているページングリソースの情報は、複数のページングリソースのうちの、ページングメッセージを聞くために割り振るページングリソースを決定するように構成されている、ページングリソース決定モジュール１１０８に提供される。ページングリソース決定モジュール１１０８は、装置１００の通信のトラフィックタイプ、装置１００の残っているバッテリー電力、装置１００が無制限の電源に接続されているか否か、装置１００の環境に関連する装置１００の状態、および／または、ページングリソース上の負荷（すなわち、割り振られているページングリソースの情報１１０２の中で提供される、他のワイヤレスデバイスに割り振られているページングリソース）に基づいて、自らの割り振るページングリソースを決定するように構成されている。ページングメッセージを聞くために割り振られている、決定されたページングリソースは、ピア発見信号１１１２中で、割り振られているページングリソースを示す情報（例えば、オフセット、周期）を送信するように構成されている送信モジュール１１１０に提供される。送信モジュール１１１０はまた、ページングリソース割り振り情報１１０２に基づいて、ページ１１１４を送信するように構成されている。
【００３１】
１つのコンフィギュレーションにおいて、図１と図１１を参照すると、ワイヤレス通信のための装置１００は、複数のページングリソースのうちの、ページングメッセージを聞くために割り振るページングリソースを決定する手段と、ピア発見信号中で、割り振ったページングリソースを示す情報を送信する手段とを具備する。装置１００は、割り振ったページングリソースの、特定のページングチャネルに対するオフセットと周期とを決定する手段をさらに具備していてもよい。そのようなコンフィギュレーションにおいて、送信した情報はオフセットと周期とを含む。装置１００は、割り振ったページングリソース中で、送信したピア発見信号に応答した、第２の装置からのページを受信する手段をさらに具備していてもよい。装置１００は、第２の装置からピア発見信号を受信する手段をさらに具備していてもよい。そのようなコンフィギュレーションにおいて、ピア発見信号は、複数のページングリソースのうちの、ページングメッセージを聞くために第２の装置に割り振られているページングリソースを示す情報を含む。装置１００は、第２の装置に割り振られているページングリソースに対応するリソース上で第２の装置にページングする手段をさらに具備していてもよい。装置１００は、複数のワイヤレスデバイスから複数のピア発見信号を受信する手段と、ピア発見信号中で、複数のワイヤレスデバイスに割り振られているページングリソースを示す情報を取得する手段と、各ページングリソース上の負荷を決定する手段と、決定した負荷に基づいてページングリソースを割り振る手段とをさらに具備していてもよい。前述の手段とは、前述の手段により規定された機能を実行するように構成されている、図１１のモジュールおよび／または図１の処理システム１１４のことである。
【００３２】
開示したプロセスにおけるステップの、特定の順序または階層は、例示的なアプローチの実例であるということが理解される。設計の選択に基づいて、これらのプロセスにおけるステップの、特定の順序または階層は、再構成してもよいということが理解される。添付している方法の請求項は、サンプルの順序でさまざまなステップのエレメントを提示しているが、提示した特定の順序または階層に限定するように意図されているものではない。
【００３３】
先の説明は、当業者がここで説明したさまざまな態様を実施できるようにするために提供している。これらの態様に対するさまざまな変更は、当業者に容易に明白となるだろう。そしてここで定義された一般的な原理は、他の態様に適用してもよい。したがって、特許請求の範囲は、ここで示した態様を限定するように意図されているものではなく、言語的特許請求の範囲と一貫する全範囲に一致すべきである。ここにおいて、単数形でのエレメントへの言及は、そうであると特に述べられていない限り、「１つであり１つだけ」ではなく、むしろ「１つ以上」を意味するように意図されている。そうではないことが特に述べられていない限り、「いくつか」という用語は、１つ以上のことを指している。当業者に知られている、または後に知られることになる、本開示全体を通して説明したさまざまな態様のエレメントに対するすべての構造的および機能的な均等物は、参照によりここに明示的に組み込まれており、特許請求の範囲により含まれるように意図されている。さらに、ここで開示したものは、このような開示が特許請求の範囲中に明示的に記載されているか否かにかかわらず、公共に捧げられることを意図されていない。「・・・する手段」というフレーズを使用してエレメントを明示的に記載していない限り、特許請求の範囲のいずれのエレメントも、ミーンズプラスファンクションとして解釈すべきでない。
以下に、本願出願の当初の特許請求の範囲に記載された発明を付記する。
［１］  第１のワイヤレスデバイスを動作させる方法において、
複数のページングリソースのうちの、ページングメッセージを聞くために割り振るページングリソースを決定することと、
ピア発見信号中で、前記割り振ったページングリソースを示す情報を送信することとを含む方法。
［２］  前記複数のページングリソースは、周期的なページングチャネルのセットの各ページングチャネルを含み、前記割り振ったページングリソースは、前記ページングチャネルのサブセット中に存在する［１］記載の方法。
［３］  前記割り振ったページングリソースの、特定のページングチャネルに対するオフセットと周期とを決定することをさらに含み、前記送信した情報は前記オフセットと前記周期とを含む［２］記載の方法。
［４］  前記割り振ったページングリソース中で、前記送信したピア発見信号に応答した、第２のワイヤレスデバイスからのページを受信することをさらに含む［１］記載の方法。
［５］  第２のワイヤレスデバイスからピア発見信号を受信することをさらに含み、前記ピア発見信号は、前記複数のページングリソースのうちの、ページングメッセージを聞くために前記第２のワイヤレスデバイスに割り振られているページングリソースを示す情報を含む［１］記載の方法。
［６］  前記第２のワイヤレスデバイスに割り振られているページングリソースに対応するリソース上で、前記第２のワイヤレスデバイスにページングすることをさらに含む［５］記載の方法。
［７］  前記割り振るページングリソースを決定することは、前記第２のワイヤレスデバイスに割り振られているページングリソースに基づいている［５］記載の方法。
［８］  前記割り振るページングリソースを決定することは、前記第１のワイヤレスデバイスの通信のトラフィックタイプ、前記第１のワイヤレスデバイスの残っているバッテリー電力、前記第１のワイヤレスデバイスが無制限の電源に接続されているか否か、または、前記第１のワイヤレスデバイスの環境に関連する前記第１のワイヤレスデバイスの状態、のうちの少なくとも１つに基づいている［１］記載の方法。
［９］  前記第１のワイヤレスデバイスの環境に関連する前記第１のワイヤレスデバイスの状態は、前記第１のワイヤレスデバイスの、速度、温度、位置、加速度、向き、湿度、高度、電磁界、光度、オーディオ波、気圧、圧力、または、地震活動度、のうちの１つを含む［８］記載の方法。
［１０］  複数のワイヤレスデバイスから複数のピア発見信号を受信することと、
前記複数のピア発見信号中で、前記複数のワイヤレスデバイスに割り振られているページングリソースを示す情報を取得することと、
各ページングリソース上の負荷を決定することと、
前記決定した負荷に基づいて、前記ページングリソースを割り振ることとをさらに含む［１］記載の方法。
［１１］  ワイヤレス通信のための装置において、
複数のページングリソースのうちの、ページングメッセージを聞くために割り振るページングリソースを決定する手段と、
ピア発見信号中で、前記割り振ったページングリソースを示す情報を送信する手段とを具備する装置。
［１２］  前記複数のページングリソースは、周期的なページングチャネルのセットの各ページングチャネルを含み、前記割り振ったページングリソースは、前記ページングチャネルのサブセット中に存在する［１１］記載の装置。
［１３］  前記割り振ったページングリソースの、特定のページングチャネルに対するオフセットと周期とを決定する手段をさらに具備し、前記送信した情報は前記オフセットと前記周期とを含む［１２］記載の装置。
［１４］  前記割り振ったページングリソース中で、前記送信したピア発見信号に応答した、第２の装置からのページを受信する手段をさらに具備する［１１］記載の装置。
［１５］  第２の装置からピア発見信号を受信する手段をさらに具備し、前記ピア発見信号は、前記複数のページングリソースのうちの、ページングメッセージを聞くために前記第２の装置に割り振られているページングリソースを示す情報を含む［１１］記載の装置。
［１６］  前記第２の装置に割り振られているページングリソースに対応するリソース上で、前記第２の装置にページングする手段をさらに具備する［１５］記載の装置。
［１７］  前記割り振るページングリソースを決定する手段は、前記第２の装置に割り振られているページングリソースに基づいて、前記割り振るページングリソースを決定する［１５］記載の装置。
［１８］  前記割り振るページングリソースを決定する手段は、前記装置の通信のトラフィックタイプ、前記装置の残っているバッテリー電力、前記装置が無制限の電源に接続されているか否か、または、前記装置の環境に関連する前記装置の状態、のうちの少なくとも１つに基づいて、前記割り振るページングリソースを決定する［１１］記載の装置。
［１９］  前記装置の環境に関連する前記装置の状態は、前記装置の、速度、温度、位置、加速度、向き、湿度、高度、電磁界、光度、オーディオ波、気圧、圧力、または、地震活動度、のうちの１つを含む［１８］記載の装置。
［２０］  複数のワイヤレスデバイスから複数のピア発見信号を受信する手段と、
前記複数のピア発見信号中で、前記複数のワイヤレスデバイスに割り振られているページングリソースを示す情報を取得する手段と、
各ページングリソース上の負荷を決定する手段と、
前記決定した負荷に基づいて、前記ページングリソースを割り振る手段とをさらに具備する［１１］記載の装置。
［２１］  処理システムを具備するワイヤレス通信のための装置において、
前記処理システムは、
複数のページングリソースのうちの、ページングメッセージを聞くために割り振るページングリソースを決定し、
ピア発見信号中で、前記割り振ったページングリソースを示す情報を送信するように構成されている装置。
［２２］  前記複数のページングリソースは、周期的なページングチャネルのセットの各ページングチャネルを含み、前記割り振ったページングリソースは、前記ページングチャネルのサブセット中に存在する［２１］記載の装置。
［２３］  前記処理システムは、前記割り振ったページングリソースの、特定のページングチャネルに対するオフセットと周期とを決定するようにさらに構成され、前記送信した情報は前記オフセットと前記周期とを含む［２２］記載の装置。
［２４］  前記処理システムは、前記割り振ったページングリソース中で、前記送信したピア発見信号に応答した、第２の装置からのページを受信するようにさらに構成されている［２１］記載の装置。
［２５］  前記処理システムは、第２の装置からピア発見信号を受信するようにさらに構成され、前記ピア発見信号は、前記複数のページングリソースのうちの、ページングメッセージを聞くために前記第２の装置に割り振られているページングリソースを示す情報を含む［２１］記載の装置。
［２６］  前記処理システムは、前記第２の装置に割り振られているページングリソースに対応するリソース上で、前記第２の装置にページングするようにさらに構成されている［２５］記載の装置。
［２７］  前記処理システムは、前記第２の装置に割り振られているページングリソースに基づいて、前記割り振るページングリソースを決定するように構成されている［２５］記載の装置。
［２８］  前記処理システムは、前記装置の通信のトラフィックタイプ、前記装置の残っているバッテリー電力、前記装置が無制限の電源に接続されているか否か、または、前記装置の環境に関連する前記装置の状態、のうちの少なくとも１つに基づいて、前記割り振るページングリソースを決定するように構成されている［２１］記載の装置。
［２９］  前記装置の環境に関連する前記装置の状態は、前記装置の、速度、温度、位置、加速度、向き、湿度、高度、電磁界、光度、オーディオ波、気圧、圧力、または、地震活動度、のうちの１つを含む［２８］記載の装置。
［３０］  前記処理システムは、複数のワイヤレスデバイスから複数のピア発見信号を受信し、
前記複数のピア発見信号中で、前記複数のワイヤレスデバイスに割り振られているページングリソースを示す情報を取得し、
各ページングリソース上の負荷を決定し、
前記決定した負荷に基づいて、前記ページングリソースを割り振るようにさらに構成されている［２１］記載の装置。
［３１］  コンピュータ読取可能媒体を具備する、第１のワイヤレスデバイス中のコンピュータプログラムプロダクトにおいて、
前記コンピュータ読取可能媒体は、
複数のページングリソースのうちの、ページングメッセージを聞くために割り振るページングリソースを決定するためのコードと、
ピア発見信号中で、前記割り振ったページングリソースを示す情報を送信するためのコードとを備えるコンピュータプログラムプロダクト。
［３２］  前記複数のページングリソースは、周期的なページングチャネルのセットの各ページングチャネルを含み、前記割り振ったページングリソースは、前記ページングチャネルのサブセット中に存在する［３１］記載のコンピュータプログラムプロダクト。
［３３］  前記コンピュータ読取可能媒体は、前記割り振ったページングリソースの、特定のページングチャネルに対するオフセットと周期とを決定するためのコードをさらに備え、前記送信した情報は前記オフセットと前記周期とを含む［３２］記載のコンピュータプログラムプロダクト。
［３４］  前記コンピュータ読取可能媒体は、前記割り振ったページングリソース中で、前記送信したピア発見信号に応答した、第２のワイヤレスデバイスからのページを受信するためのコードをさらに備える［３１］記載のコンピュータプログラムプロダクト。
［３５］  前記コンピュータ読取可能媒体は、第２のワイヤレスデバイスからピア発見信号を受信するためのコードをさらに備え、前記ピア発見信号は、前記複数のページングリソースのうちの、ページングメッセージを聞くために前記第２のワイヤレスデバイスに割り振られているページングリソースを示す情報を含む［３１］記載のコンピュータプログラムプロダクト。
［３６］  前記コンピュータ読取可能媒体は、前記第２のワイヤレスデバイスに割り振られているページングリソースに対応するリソース上で、前記第２のワイヤレスデバイスにページングするためのコードをさらに備える［３５］記載のコンピュータプログラムプロダクト。
［３７］  前記割り振るページングリソースを決定するためのコードは、前記第２のワイヤレスデバイスに割り振られているページングリソースに基づいて、前記割り振るページングリソースを決定する［３５］記載のコンピュータプログラムプロダクト。
［３８］  前記割り振るページングリソースを決定するためのコードは、前記第１のワイヤレスデバイスの通信のトラフィックタイプ、前記第１のワイヤレスデバイスの残っているバッテリー電力、前記第１のワイヤレスデバイスが無制限の電源に接続されているか否か、または、前記第１のワイヤレスデバイスの環境に関連する前記第１のワイヤレスデバイスの状態、のうちの少なくとも１つに基づいて、前記割り振るページングリソースを決定する［３１］記載のコンピュータプログラムプロダクト。
［３９］  前記第１のワイヤレスデバイスの環境に関連する前記第１のワイヤレスデバイスの状態は、前記第１のワイヤレスデバイスの、速度、温度、位置、加速度、向き、湿度、高度、電磁界、光度、オーディオ波、気圧、圧力、または、地震活動度、のうちの１つを含む［３８］記載のコンピュータプログラムプロダクト。
［４０］  前記コンピュータ読取可能媒体は、
複数のワイヤレスデバイスから複数のピア発見信号を受信するためのコードと、
前記複数のピア発見信号中で、前記複数のワイヤレスデバイスに割り振られているページングリソースを示す情報を取得するためのコードと、
各ページングリソース上の負荷を決定するためのコードと、
前記決定した負荷に基づいて、前記ページングリソースを割り振るためのコードとをさらに備える［３１］記載のコンピュータプログラムプロダクト。
【図１】
0005859657.tif 000002
【図２】
0005859657.tif 000003
【図３】
0005859657.tif 000004
【図４】
0005859657.tif 000005
【図５】
0005859657.tif 000006
【図６】
0005859657.tif 000007
【図７】
0005859657.tif 000008
【図８】
0005859657.tif 000009
【図９】
0005859657.tif 000010
【図１０】
0005859657.tif 000011
【図１１】
0005859657.tif 000012